(57)【要約】【課題】改修用ハッチ枠の上枠の嵩張りをできる限り少なくしてコンパクトに納めることができ、上下枠のボルト・ナット結合作業がスムーズに行える改修用避難ハッチ装置を提供する。【解決手段】既存ハッチ枠１２にこれを覆うよう設置される改修用ハッチ枠１３が、上枠１７と、この上枠の下部にボルト２７で結合される下枠１８により構成される。上枠１７はこれの上方外周に沿って張り出された外方張出縁２０を有し、上枠１７の開口上端面１７１が水平に設置されるように外方張出縁２０のベランダ床面１４側に当接する下端縁２０ａがベランダ床面１４の傾斜面にほぼ対応する傾斜状に形成されている。【選択図】　　　図１
2004065831.tif 000002
【特許請求の範囲】
【請求項１】
ベランダの居室側端からベランダ張出方向に向けて所定勾配で下り傾斜したベランダ床面のハッチに既設された角筒形状の既存ハッチ枠にこれを覆うよう設置される改修用ハッチ枠が、角筒形状の上枠と、この上枠の下部にボルトで結合される角筒形状の下枠により構成され、前記上枠はこれの開口上端の外周に沿って張り出された外方張出縁を有し、前記上枠の開口上端面が水平に設置されるように前記外方張出縁の前記ベランダ床面側に当接する下端縁が前記ベランダ床面の傾斜面にほぼ対応する傾斜状に形成されていることを特徴とする、改修用避難ハッチ装置。
【請求項２】
前記上下枠の各内部にそれぞれボルト通孔を有する固定板を互いに上下に平行に対向するよう固定し、この上下の固定板の各ボルト通孔にボルトの上下端部を通してナットで締め付ける、請求項１記載の改修用避難ハッチ装置。
【請求項３】
ベランダの居室側端からベランダ張出方向に向けて所定勾配で下り傾斜したベランダ床面のハッチに既設された角筒形状の既存ハッチ枠に、角筒形状の上枠と、この上枠の下部にボルトで結合される角筒形状の下枠により構成される改修用ハッチ枠が前記既存ハッチ枠を覆うよう設置されるに際し、前記上枠として、上枠の開口上端の外周に沿って張り出された外方張出縁の前記ベランダ床面側に当接する下端縁が、予め、前記ベランダ床面の傾斜面にほぼ対応するよう傾斜状に形成された上枠を用意し、この上枠を用いることを特徴とする、改修用避難ハッチの施工方法。
【発明の詳細な説明】
【０００１】
【発明の属する技術分野】
本発明は、中高層の集合住宅等のベランダに設置される改修用避難ハッチ装置および改修用避難ハッチの施工方法に関する。
【０００２】
【従来の技術】
この種の改修用避難ハッチ装置は、たとえば、図４にその納まり状態の断面図を示すように、ベランダ１０のハッチ（昇降口）１１に既設された既存ハッチ枠１２に、改修用ハッチ枠４０が既存ハッチ枠１２を覆うよう設置される（例えば、特開平１０−２４３号公報）。改修用ハッチ枠４０は、上枠４１と、この上枠４１の下部にボルト４２で結合される下枠４３により構成される。改修用ハッチ枠４０の上枠４１には開閉自在な上蓋５２を、下枠４３には開閉自在な下蓋５３をそれぞれ取り付け、この上下枠４１，４３の内部には折畳み式の避難はしご（図示省略）が格納される。
【０００３】
【発明が解決しようとする課題】
しかるに、ベランダ床面１４は、雨水がベランダ張出側端に沿って設けた排水溝１５に流れ込みやすいようにベランダ１０の居室側端からベランダ張出方向に向けて所定勾配αで下り傾斜状に形成され、ベランダ１０の下面（下階のベランダ天井面）１６は水平に形成されている。
既存ハッチ枠１２は四角筒形状で開口上下端面１２１，１２２同士を平行に形成して、該開口下端面１２２がベランダ１０の水平な下面１６と平行になるようにベランダ１０のハッチ１１に設置されている。これに対し、改修用ハッチ枠４０の上枠４１は四角筒形状で開口上下端面４１１，４１２同士及び開口上端の外周に沿って張り出された外方張出縁４４の下端縁４４ａを互いに平行に形成している。
【０００４】
改修用ハッチ枠４０の据え付けに際し、図４のように、上枠４１が傾斜状のベランダ床面１４と平行になるように上枠４１の外方張出縁４４の下端縁４４ａをベランダ床面１４上に当接させて据え付けられると、上枠４１が既存ハッチ枠１２よりも嵩張る取付け態様になる。特に、上枠４１のベランダ居室側に相当する側端部が既存ハッチ枠１２より大きく嵩張る（Ｈ１）ことになるため、ベランダ床面１４上で歩くとき足先をその嵩張り部分につまずきやすくなり、見映えもよくない。
【０００５】
また、上記のように改修用ハッチ枠４０の上枠４１は傾斜したベランダ床面１４と平行になるよう傾斜状に取り付けられるのに対し、下枠４３はベランダ１０の水平な下面１６と平行になるよう水平に取り付けられるため、上枠４１の下部外周と下枠４３の上部内周とがこすれ合ってきしみが生じたり、上下枠４１，４３に歪みが発生したりする問題があった。また、上枠４１と下枠４３の内部の四コーナにおいて上枠４１側に固定された固定板４５のボルト通孔４６と下枠４３側に固定された固定板４７のボルト通孔４８にボルト４２を挿通させてナット５０，５１で締め付けることにより上下枠４１，４３は一体的に結合されるが、上枠４１は傾斜状に取り付けられているので、ボルト４２の上端部を上枠４１側の固定板４５のボルト通孔４６に対し斜めに通されることになるため当該箇所をナット５０で締付け難くなり、この結合作業が容易でなかった。
【０００６】
本発明の目的は、上記問題点を解消するためになされたもので、改修用ハッチ枠の嵩張りをできる限り少なくしてコンパクトに納めることができ、また改修用ハッチ枠の上下枠にきしみや歪みを発生させることなく上下枠をボルトでスムーズに結合できる改修用避難ハッチ装置を提供することにある。また本発明の目的は、改修工事の簡素化、工期の短縮化を図れる改修用避難ハッチの施工方法を提供することにある。
【０００７】
【課題を解決するための手段】
本発明の改修用避難ハッチ装置は、ベランダの居室側端からベランダ張出方向に向けて所定勾配で下り傾斜したベランダ床面のハッチに既設された角筒形状の既存ハッチ枠にこれを覆うよう設置される改修用ハッチ枠が、角筒形状の上枠と、この上枠の下部にボルトで結合される角筒形状の下枠により構成され、前記上枠はこれの開口上端の外周に沿って張り出された外方張出縁を有し、前記上枠の開口上端面が水平に設置されるように前記外方張出縁の前記ベランダ床面側に当接する下端縁が前記ベランダ床面の傾斜面にほぼ対応する傾斜状に形成されていることに特徴を有するものである。
【０００８】
この場合において、前記上下枠の各内部にそれぞれボルト通孔を有する固定板を互いに上下に平行に対向するよう固定し、この上下の固定板の各ボルト通孔にボルトの上下端部を通してナットで締め付けることができる。
【０００９】
上記構成の改修用避難ハッチ装置によれば、改修用ハッチ枠の上枠の嵩張りは、前述した従来の改修用ハッチ枠の上枠に比べてそれほど大きくならないように設置することができる。また、改修用ハッチ枠の上下枠にきしみや歪みを発生させることなく、上下枠のボルト結合作業もスムーズに行えることになる。
【００１０】
本発明の改修用避難ハッチの施工方法は、ベランダの居室側端からベランダ張出方向に向けて所定勾配で下り傾斜したベランダ床面のハッチに既設された角筒形状の既存ハッチ枠に、角筒形状の上枠と、この上枠の下部にボルトで結合される角筒形状の下枠により構成される改修用ハッチ枠が前記既存ハッチ枠を覆うよう設置されるに際し、前記上枠として、上枠の開口上端の外周に沿って張り出された外方張出縁の前記ベランダ床面側に当接する下端縁が、予め、前記ベランダ床面の傾斜面にほぼ対応するよう傾斜状に形成された上枠を用意し、この上枠を用いることに特徴を有するものである。
【００１１】
この方法によれば、現場施工を簡単、迅速に行え、また現場の状況調査から設置施工までの期間を短縮化できることになる。
【００１２】
【発明の実施の形態】
本発明の好適な実施形態を図面に基づき説明する。図１は本発明の一実施例を示す改修用避難ハッチ装置の納まり状態の断面図、図２は図１の改修用避難ハッチ装置の分解状態の断面図、図３は図１の改修用避難ハッチ装置の改修用ハッチ枠を一部破断状態で示す平面図である。
【００１３】
図１、図２において、１０は中高層集合住宅等に張り出されたベランダ、１１はベランダ１０に開口されている既存のハッチ（昇降口）、１２はハッチ１１に既設されている既存ハッチ枠、１３は本発明の改修用避難ハッチ装置の改修用ハッチ枠である。
【００１４】
ベランダ１０の床面（ベランダ床面）１４はこれの張出側端に沿って排水溝１５を設け、ベランダ１０の居室側端１０ａから排水溝１５に向けて所定勾配α（例えば、α＝１〜５°）で下り傾斜している。ベランダ１０の下面（階下のベランダ天井面）１６は水平に形成されている。既存ハッチ枠１２は開口上下端面１２１，１２２同士が平行な四角形筒形状に形成されて、その開口下端面１２２がベランダ１０の水平な下面１６と平行になるようハッチ１１に設置されている。
【００１５】
改修用ハッチ枠１３は、ステンレス等耐食性に優れる金属製の上枠１７と、同じく耐食性に優れる金属製の下枠１８により構成される。上枠１７は、既存ハッチ枠１２のほぼ上半分の内周部を覆い得る四角形筒形状に形成された上枠本体１９と、この上枠本体１９の開口上端の外周に沿って一体に張出し形成されて既存ハッチ枠１２のほぼ上半分の上面部を覆い得る外方張出縁２０とを有する形に形成されるとともに、その開口上下端面１７１，１７２同士が平行に形成されている。そして、上枠１７の外方張出縁２０のベランダ床面１４側に当接する下端縁２０ａは、上枠１７の開口上端面１７１が水平に設置されるようにベランダ床面１４の勾配と同一傾斜角度もしくは近似する傾斜角度で傾斜状に形成することによってベランダ床面１４の傾斜面にほぼ対応するように構成している。
【００１６】
一方、下枠１８は、既存ハッチ枠１２のほぼ下半分の内周部を覆い得る四角形筒形状に形成された下枠本体２１と、この下枠本体２１の下方外周に沿って一体に張出し形成されて既存ハッチ枠１２のほぼ下半分の下面部を覆い得る外方張出縁２２とを有する形に形成されるとともに、その開口上下端面１８１，１８２同士が平行に形成されている。
【００１７】
上枠１７と下枠１８は、図２、図３に示すように、予め各枠１７，１８の内部の四コーナにそれぞれボルト通孔２３，２４を有する直角三角形等の固定板２５，２６を互いに上下に平行に対向するよう溶接等で水平に固定しており、設置時にこの上下の固定板２５，２６の各ボルト通孔２３，２４にボルト２７の上下端部を通してナット２８，２９で締付けることにより一体的に結合されるようになっている。上枠１７の開口上端面１７１には上蓋３０がヒンジ３１回りに上側に開閉可能に取り付けられ、下枠１８には下蓋３２が軸３３回りに下側に開閉可能に取り付けられている。図示省略するが上下枠１７，１８の内部には折畳み式避難はしごが格納される。
【００１８】
かくして、改修作業に際しては、ベランダ１０に既設されている既存ハッチ枠１２はそのまま残し、既存ハッチ枠１２に付けられている上下蓋や折畳み式避難はしご等の部材は全て取り外される。次いで、改修用ハッチ枠１３の上枠１７を、既存ハッチ枠１２のほぼ上半分の内周部及び上面部を覆うとともに外方張出縁２０の下端縁２０ａがベランダ床面１４側に当接するように嵌め込む。下枠１８は既存ハッチ枠１２のほぼ下半分の内周部及び下面部を覆うとともに、その開口下端面１８２がベランダ１０の下面１６と平行になるよう水平に嵌め込む。
その際、上枠１７の嵌め込みにより外方張出縁２０の下端縁２０ａが、上枠１７の開口上端面１７１が水平に設置されるようにベランダ床面１４の傾斜面にほぼ対応するように傾斜状に形成されているので、図１に示すごとく上枠１７の嵩張り（Ｈ２）は、図４に示すごとき従来の改修用ハッチ枠４０の上枠４１の嵩張り（Ｈ１）に比べてかなり少なくなり、居住人がベランダでの作業時につまずくようなことが少なくなった。また見映えもよい納まり状態が得られる。
【００１９】
次いで、ボルト２７、ナット２８，２９で上下枠１７，１８の四コーナを結合固定する。この場合、先に下枠１８側の固定板２６のボルト通孔２４にボルト２７の下端部をナット２９，２９で仮締めしてから、上枠１７側の固定板２５のボルト通孔２３にボルト２７の上端部をナット２８，２８で締付け固定する。その際、上枠１７及び下枠１８は共に水平となるように設置されているので、ボルト２７は上下の固定板２５，２６のボルト通孔２３，２４に垂直に通すことができ、このボルト・ナット結合作業もスムーズに行え、上下枠１７，１８のきしみや歪みも無くなった。
その後、折畳み式避難はしご（図示せず）が取り付けられ、最後に上枠１７の外方張出縁２０の下端縁２０ａとベランダ床面１４との間にコーキング３４を施して水密性を確保する。
【００２０】
上記のような改修用避難ハッチの現場施工にあたっては、予め、工場で上枠１７として外方張出縁２０の下端縁２０ａが所定勾配で傾斜した数種類のものを製造して用意しておき、現場ではその数種類のものうちからベランダ床面１４の勾配に合致若しくは近似するものを選んで使用する施工法を採用することが、現場できわめて簡単かつ迅速に施工でき、また工期を短縮できるうえで好ましい。
【００２１】
【発明の効果】
本発明の改修用避難ハッチ装置によれば、改修用ハッチ枠の上枠の嵩張りをできる限り少なくしてコンパクトに納めることができ、また上下枠のボルト結合作業がスムーズに行えて有利である。また、本発明の改修用避難ハッチの施工方法によれば、現場施工の簡素化および工期の短縮化を図り得るという利点がある。
【図面の簡単な説明】
【図１】本発明の一実施例を示す改修用避難ハッチ装置の納まり状態の断面図である。
【図２】図１の改修用避難ハッチ装置の分解状態の断面図である。
【図３】図１の改修用避難ハッチ装置の改修用ハッチ枠の一部を破断して示す平面図である。
【図４】従来例の改修用避難ハッチ装置の納まり状態の断面図である。
【符号の説明】
１０　ベランダ
１１　ハッチ
１２　既存ハッチ枠
１３　改修用ハッチ枠
１４　ベランダ床面
１７　上枠
１７１　上枠の開口上端面
１８　下枠
２０　外方張出縁
２０ａ　外方張出縁の下端縁
２７　ボルト
２８，２９　ナット
【図１】
2004065831.tif 000003
【図２】
2004065831.tif 000004
【図３】
2004065831.tif 000005
【図４】
2004065831.tif 000006